(57)【要約】      （修正有）【課題】光合成に必要な水分が消費されずに野菜の栄養素を増量できる冷蔵庫を提供する。【解決手段】野菜室１６に収納された上収納容器３６と下収納容器３８に収納された野菜１００に向けて超音波を照射する超音波発振部４２を有し、上収納容器３６と下収納容器３８の壁面に超音波を反射する超音波反射手段を設けることにより、超音波発振部４２から照射された超音波が、野菜１００の上部に直接当たるだけでなく、野菜１００の上部以外の部分にも超音波の反射波が当たり、野菜１００に対しあらゆる方向から刺激を与えることができるため、栄養素の増量の割合が増加する。【選択図】図２
2013170760.tif 000002
【特許請求の範囲】
【請求項１】
野菜室と、
前記野菜室内に配された野菜の収納容器と、
前記野菜室内に設けられ、かつ、前記収納容器内の前記野菜に向けて超音波を照射する超音波発振手段と、
を有する冷蔵庫において、
前記収納容器の壁面に、前記超音波発振手段から照射された前記超音波を前記野菜に向かって反射する超音波反射手段が設けられた、
冷蔵庫。
【請求項２】
前記収納容器の開口部と前記超音波発振手段との間は、空間的に遮断されていない、
請求項１に記載の冷蔵庫。
【請求項３】
前記超音波発振手段は、前記野菜室の天井に設けられている、
請求項１又は２に記載の冷蔵庫。
【請求項４】
前記超音波発振手段は、前記収納容器の開口部に対し、斜めに設けられている、
請求項１乃至３のいずれか一項に記載の冷蔵庫。
【請求項５】
前記収納容器は、上下二段に重なった上収納容器と下収納容器とから構成され、
前記上収納容器の底面にスリットが形成されている、
請求項１乃至４のいずれか一項に記載の冷蔵庫。
【請求項６】
前記超音波発振手段は、前記野菜室の扉閉時に前記超音波を照射する、
請求項１乃至５のいずれか一項に記載の冷蔵庫。
【請求項７】
前記超音波発振手段は、前記超音波を変調させながら照射する、
請求項１乃至６のいずれか一項に記載の冷蔵庫。
【請求項８】
前記超音波発振手段は、前記超音波を照射状態と非照射状態を交互に繰り返す間欠照射を行う、
請求項１乃至７のいずれか一項に記載の冷蔵庫。
【請求項９】
前記収納容器内の前記野菜の収納量を検出する検出手段をさらに有し、
前記超音波発振手段は、前記検出手段が検出した前記収納量が多いほど、前記間欠照射における照射時間を長くして運転率を上げる、
請求項８に記載の冷蔵庫。
【請求項１０】
前記超音波発振手段は、照射時間と非照射時間の割合を変更しながら前記間欠照射する、
請求項８に記載の冷蔵庫。
【請求項１１】
前記超音波発振手段は、前記超音波の照射中において照射を短時間でＯＮ／ＯＦＦする、
請求項１乃至１０のいずれか一項に記載の冷蔵庫。
【発明の詳細な説明】
【技術分野】
【０００１】
実施形態は、冷蔵庫に関するものである。
【背景技術】
【０００２】
従来より、冷蔵庫の野菜室に収納されている野菜に外部エネルギーで刺激を与えることで野菜の栄養素を増やし、鮮度を向上させる技術が提案されている。例えば、野菜に対しランプやＬＥＤを用いて光を照射して、光合成を促進させることで栄養素を増やしている。
【先行技術文献】
【特許文献】
【０００３】
【特許文献１】特開２００６−２５４８３５号公報
【特許文献２】特開２０１０−７８３００号公報
【発明の概要】
【発明が解決しようとする課題】
【０００４】
しかし、上記のように野菜に光を照射して光合成を促進させることで栄養素を増量させる場合には、光合成に必要な水分も同時に消費され、野菜が乾燥してしまうという問題点があった。
【０００５】
そこで、本実施形態は上記問題点に鑑み、光合成に必要な水分が消費されずに栄養素を増量できる冷蔵庫を提供することを目的とする。
【課題を解決するための手段】
【０００６】
本実施形態は、野菜室と、前記野菜室内に配された野菜の収納容器と、前記野菜室内に設けられ、かつ、前記収納容器内の前記野菜に向けて超音波を照射する超音波発振手段と、を有する冷蔵庫において、前記収納容器の壁面に、前記超音波発振手段から照射された前記超音波を前記野菜に向かって反射する超音波反射手段が設けられた、冷蔵庫である。
【図面の簡単な説明】
【０００７】
【図１】実施形態１の冷蔵庫の縦断面図である。
【図２】実施形態１の野菜室の縦断面図である。
【図３】実施形態１の実験データを表す表である。
【図４】実施形態２の野菜室の縦断面図である。
【図５】実施形態３の野菜室の縦断面図である。
【図６】実施形態４の野菜室の縦断面図である。
【図７】実施形態５の冷蔵庫のブロック図である。
【図８】実施形態５における制御部のフローチャートである。
【図９】実施形態６のフローチャートである。
【図１０】実施形態７のフローチャートである。
【発明を実施するための形態】
【０００８】
以下、一実施形態の冷蔵庫１０について図面に基づいて説明する。
【実施形態１】
【０００９】
実施形態１の冷蔵庫１０について、図１〜図３に基づいて説明する。
【００１０】
（１）冷蔵庫１０の構造
まず、冷蔵庫１０の構造について図１に基づいて説明する。
【００１１】
冷蔵庫１０のキャビネット１２は、外箱と内箱とよりなる断熱箱体であって、水平に配された断熱仕切体１３によって冷蔵空間と冷凍空間に区切られている。このキャビネット１２は、上段より冷蔵室１４、野菜室１６、小型冷凍室１８、大型の冷凍室２０を有し、冷凍室２０の背面には、機械室２２が設けられている。また、小型冷凍室１８の横には、不図示の製氷室が設けられている。
【００１２】
冷蔵室１４と野菜室１６とより冷蔵空間が構成され、小型冷凍室１８、冷凍室２０、製氷室より冷凍空間が形成されている。冷蔵室１４の背面下部には、冷蔵用蒸発器（以下、「Ｒエバ」という）２４が設けられ、その下方には、冷蔵用送風機（以下、「Ｒファン」という）２６が設けられている。冷凍室２０の背面上部には、冷凍用蒸発器（以下、「Ｆエバ」という）２８が設けられ、その上方には、冷凍用ファン（以下、Ｆファンという）３０が設けられている。冷蔵空間は、Ｒエバ２４で冷却された冷気がＲファン２６によって送風されて冷却され、冷凍空間は、Ｆエバ２８で冷却された冷気がＦファン３０によって送風されて冷却される。
【００１３】
キャビネット１２の背面下部、すなわち機械室２２の上方には、制御基板３２が取り付けられている。
【００１４】
機械室２２の内部には、圧縮機３４が配置されている。
【００１５】
冷蔵室１４の前面には、観音開き式の扉１４ａが設けられている。また、野菜室１６、小型冷凍室１８、大型の冷凍室２０及び製氷室にはそれぞれ引出し式の扉１６ａ、１８ａ、２０ａが設けられている。
【００１６】
（２）野菜室１６の構造
次に、野菜室１６の構造について図２に基づいて説明する。
【００１７】
野菜室１６には、上下２段の上収納容器３６と下収納容器３８が配され、扉１６ａと共に前方に引出し可能となっている。上収納容器３６と下収納容器３８には、それぞれ野菜１００を収納できる。なお、本明細書では、野菜には果物も含まれる。
【００１８】
下収納容器３８は、合成樹脂製の上方が開口した箱型の野菜１００を収納するための容器である。また、図２においては詳しく図示していないが、下収納容器３８の底壁には、強度を補強するためのリブが形成され、凹凸状態となっている。この合成樹脂の種類としては、例えばＰＰ、ＰＳ、ＡＢＳといった樹脂材料である。
【００１９】
上収納容器３６は、合成樹脂製の上方が開口した箱型の野菜１００を収納するための容器であり、下収納容器３８よりも小型であって、下収納容器３８の上方開口部に設置され、下収納容器３８に対しスライド自在となっている。また、下収納容器３８と同様に、底壁４６にリブが設けられている。
【００２０】
野菜室１６の天井部分には、冷蔵室１４と野菜室１６を仕切るための水平な仕切り板４０が設けられ、仕切り板４０が野菜室１６の天井壁を形成している。
【００２１】
野菜室１６の背面は、上記で説明したＲファン２６が設置され、Ｒファン２６によって上方に送られた空気がＲエバ２４で冷却される。この冷気は、冷蔵室１４を経て野菜室１６に侵入し、野菜室１６にある上下２段の上収納容器３６と下収納容器３８にそれぞれ収納されている野菜１００，１００を冷却して、Ｒファン２６の位置に戻ってくる。
【００２２】
仕切り板４０の前後方向及び幅方向における中央部には、超音波発振部４２が設けられている。超音波発振部４２は、上収納容器３６及び下収納容器３８の真上に位置し、超音波を下方に発振する。但し、超音波は光のように直進するのでなく野菜室１６全体に行き渡るように発振される。超音波発振部４２は、冷蔵室１４の扉１４ａに設けられた操作パネル１５のスイッチを操作することにより駆動する。なお、本明細書では、超音波とは２０ｋＨｚ以上の音波をいう。
【００２３】
（３）超音波発振部４２の動作
次に、超音波発振部４２の動作について図２に基づいて説明する。
【００２４】
上収納容器３６及び下収納容器３８にそれぞれ野菜１００，１００を収納し扉１６ａを閉じた後、操作パネル１５のスイッチをＯＮ状態にして超音波発振部４２から超音波を下方に照射する。空気中を伝播する超音波は、野菜はもちろん、布、綿、グラスウールなどの空気や水分を含む物質には吸収されるが、金属、木材、コンクリート、ガラス、ゴム、紙、合成樹脂などは超音波を略１００％反射する性質を有するため、図２に示すように上収納容器３６の底壁４６、両側壁、前壁、後壁、下収納容器３８の底壁、両側壁、前壁、後壁によって反射され、さらに扉１６ａの裏面においても反射される。なお、超音波発振部４２と上収納容器３６の上面開口部の間の空間、及び、超音波発振部４２と下収納容器３８の上面開口部（なお、上収納容器３６以外の部分）との間の空間は、超音波と反射波が通過できるようにするために空間的に遮断されないように繋がっている。
【００２５】
これにより、超音波発振部４２から照射された超音波が、野菜１００，１００の上部に直接当たるだけでなく、野菜１００の上部以外の部分にも超音波の反射波が当たり、野菜１００に対しあらゆる方向から刺激を与えることができる。すなわち、従来の光の照射だけでは、一方向しか光が当たらず野菜の一部分しか刺激が加えられず栄養素の増量が少なかった。しかし、本実施形態においては、野菜１００，１００のあらゆる方向から超音波が当たり刺激を与えるため、栄養素の増量の割合が増加する。
【００２６】
また、超音波によって栄養素を増加させるために、光合成に必要な水分が消費されない。
【００２７】
特に、上収納容器３６の底壁４６と下収納容器３８の底壁はリブが形成されて凹凸となっているため超音波の乱反射が生じ、より多くの反射波が野菜１００，１００に当たる。
【００２８】
（４）超音波発振部４２の制御方法
超音波発振部４２の制御方法について説明する。
【００２９】
超音波発振部４２は、野菜室１６の扉１６ａが閉状態のときのみ超音波を照射する。これによって、超音波の反射特性を損なわない扉１６ａが閉じた状態のときのみ超音波が照射され、効率的に野菜１００，１００に超音波や反射波を当てることができる。
【００３０】
（５）実験結果
次に、上記構成の冷蔵庫１０を用いて栄養素の一つであるビタミンＣの量を測定した実験結果を図３の表に基づいて説明する。本実験は、合成樹脂製の上収納容器３６にブロッコリーをサンプルとして収納し、超音波発振部４２からの超音波によって増加するビタミンＣの量を求めた。
【００３１】
本実験方法は、ブロッコリーの初期のビタミンＣの量と、野菜室１６内で３日間、超音波（中心周波数４０ｋＨｚ、音圧１００ｄＢ）を照射した後のビタミンＣの量を測定し、その増加率を求めた。ブロッコリーは、サンプル１のブロッコリーとサンプル２のブロッコリーを用いた。各ブロッコリーは超音波発振部４２と５０ｍｍ開いた上収納容器３６に収納した。ビタミンＣの量は、東亜ＤＫＫ株式会社製のビタミンＣ計（型番ＶＣ−１１０）を使用して測定した。その測定は５回行った。
【００３２】
そして、図３に示すように、初期と３日照射後の各サンプルのビタミンＣの量の平均値をそれぞれ求め、次に、初期と３日照射後のそれぞれの総平均値を求め、次に、初期から３日後における総平均値の増加率を算出した。
【００３３】
この実験結果によると、ブロッコリーにおいて、１１．８％のビタミンＣ量が増加した。
【００３４】
（６）効果
本実施形態によれば、超音波によって栄養素を増加させるために、光合成に必要な水分が消費されない。
【００３５】
また、超音波発振部４２から発振された超音波が上収納容器３６と下収納容器３８及び扉１６ａの裏面によって反射され、超音波発振部４２から野菜１００，１００に直接当たった超音波以外に、反射波が野菜１００，１００の周囲に当たることにより、栄養素をより増幅させることができる。
【実施形態２】
【００３６】
次に、実施形態２の冷蔵庫１０について、図４に基づいて説明する。
【００３７】
実施形態１では、上収納容器３６と下収納容器３８を合成樹脂で形成し、その反射によって反射波を得ていた。しかし、本実施形態では、図４に示すように、合成樹脂製の上収納容器３６及び下収納容器３８の内側に、超音波の反射がより高い鉄などの金属板４４を設けた。これによつて、超音波の反射がより強くなって、野菜１００，１００に対する刺激を強くできる。
【００３８】
なお、本実施形態の金属板４４に限らず、例えばシリコンシートなどを設けてもよい。
【００３９】
また、上収納容器３６と下収納容器３８の内側に超音波の反射塗料を塗布してもよい。但し、反射塗料が野菜１００，１００に直接触れないようにするために、底壁を二重底にする。
【実施形態３】
【００４０】
次に、実施形態３の冷蔵庫１０について、図５に基づいて説明する。
【００４１】
本実施形態と実施形態１の異なる点は、超音波発振部４２の取り付け位置にある。すなわち、本実施形態では、超音波発振部４２を仕切り板４０の前部であって、かつ、上収納容器３６及び下収納容器３８に向かうように斜めに取り付けている。
【００４２】
これによって、超音波発振部４２から照射された超音波が下収納容器３８の上面開口部からより多くの照射され、下収納容器３８に収納されている野菜１００，１００に多く刺激を与えることができる。
【実施形態４】
【００４３】
次に、実施形態４の冷蔵庫１０について、図６に基づいて説明する。
【００４４】
実施形態１では、上収納容器３６の底壁４６によって下収納容器３８との間は完全に遮蔽されていたが、本実施形態では、上収納容器３６の底壁４６に貫通したスリット４８を複数設ける。
【００４５】
これによって上収納容器３６と下収納容器３８との間の空間が繋がり、超音波が上収納容器３６を通過した後、スリット４８を経て下収納容器３８に透過できる。超音波は、反射特性に加えて回折特性を有しているため、スリット４８のような狭い経路を通過した後、拡散し、下収納容器３８に収納された野菜１００に超音波がより当たることとなる。
【００４６】
なお、下収納容器３８の底壁にもスリットを設け、断熱仕切り体１３と下収納容器３８の底壁との間で反射した超音波が再び下収納容器３８の前記スリットから入射させるようにして、野菜１００に超音波を当ててもよい。
【実施形態５】
【００４７】
次に、実施形態５の冷蔵庫１０について、図７に基づいて説明する。
【００４８】
（１）冷蔵庫１０の電気的構成
図７は、冷蔵庫１０のブロック図を示し、制御基板３２に設けられた制御部５０に、超音波発振部４２、操作パネル１５に設けられた表示部５２、野菜室１６の扉１６ａの開閉を検知するドアスイッチ５４、上収納容器３６及び下収納容器３８に収納された負荷（野菜１００）の有無を検知する負荷検知部５６が接続されている。
【００４９】
負荷検知部５６は、上収納容器３６及び下収納容器３８に収納された野菜１００の重量を計る重量センサである。また、制御部５０には、負荷検知部５６によって検知した重量に基づいて野菜の収納量を計算する収納量判定部５８が設けられている。
【００５０】
（２）制御方法
次に、本実施形態の冷蔵庫１０の制御方法について説明する。この制御方法は、収納量判定部５８が、負荷検知部５６で検知した重量に基づいて野菜１００の収納量（例えば４段階の収納量）を判定し、各段階において運転率を決定し、その運転率に基づいて超音波を間欠照射する。ここで「運転率」とは、単位時間当たりの超音波の照射時間を示し、例えば１分当たりの照射時間が３０秒の場合には、運転率が５０％となる。
【００５１】
この制御方法について図８のフローチャートに基づいて説明する。
【００５２】
ステップＳ１において、冷蔵庫１０のユーザが扉１６ａを開けて、上収納容器３６及び下収納容器３８に野菜１００，１００を収納し、扉１６ａを閉じる。すると、ドアスイッチ５４が扉１６ａの閉状態を検知し、負荷検知部５６は、上収納容器３６と下収納容器３８に収納された野菜１００，１００の重量を測定し、制御部５０の収納量判定部５８に測定信号を出力する。収納量判定部５８は、その測定信号に基づいて野菜１００，１００の収納量を４段階で判定する。例えば、収納量が「多い」、「普通」、「少ない」、「無し」に分けて判定する。野菜１００の収納量が「多い」と判定した場合にはステップＳ２に進み、「普通」と判定した場合にはステップＳ３に進み、「少ない」と判定した場合にはステップＳ４に進み、「無し」と判定した場合にはステップＳ５に進む。
【００５３】
ステップＳ２において、制御部５０は、野菜１００，１００の収納量が多いと判定したのでステップＳ６に進む。
【００５４】
ステップＳ６において、制御部５０は、超音波発振部４２の運転率を１００％で照射（すなわち連続照射）し、ステップＳ１に戻る。ここで、ステップＳ１に戻るタイミングとしては、扉１６ａが開かれたときである。
【００５５】
以下同様に、野菜１００，１００の収納量が普通の場合には運転率を７５％、少ない場合には運転率を５０％、無しの場合には運転率０％（すなわち照射しない）で間欠照射し、ステップＳ１に戻る（ステップＳ７〜ステップＳ９）。
【００５６】
（３）効果
本実施形態によれば、野菜１００，１００の収納量に合わせて、超音波発振部４２の運転率を設定するため、効率よく超音波を伝えることができると共に、無駄な照射をなくすがことができる。
【００５７】
（４）変更例１
上記実施形態では負荷検出部５６として重量センサを用いたが、これに代えて、変更例１では、野菜室１６に発光部と受光部を配置し、受光部が受光した光の透過度を利用して野菜１００，１００の収納量を判定する。すなわち、制御部５０は、透過度が低いほど野菜１００，１００の収納量が多いと判定する。
【００５８】
（５）変更例２
上記実施形態では負荷検出部５６として重量センサを用いたが、これに代えて、変更例２では、野菜室１６に温度センサを設け、野菜１００，１００の温度を検知し、制御部５０は、この検知温度が高いほど、又は、検知温度の上昇が早いほど野菜１００，１００の収納量が多いと判定する。
【００５９】
（６）変更例３
上記実施形態では負荷検出部５６として重量センサを用いたが、これに代えて、変更例３では、冷気の吹き出し口と吸い込み口の温度差を温度センサによって検知する。制御部５０は、この検知した温度差が大きいほど、野菜１００，１００の収納量が多いと判定する。
【００６０】
（７）変更例４
変更例４では、負荷検出部５６が野菜１００，１００の収納を検知した後、制御部５０が、その検知した時間から所定時間後（例えば、３日後）に表示部５２に野菜や果物が食べ頃であることを表示する。
【実施形態６】
【００６１】
次に、実施形態６の冷蔵庫１０について、図９に基づいて説明する。
【００６２】
実施形態５においては、運転率が５０％の場合には、照射時間を３０秒、非照射時間を３０秒として繰り返し、間欠照射を行っている。しかし、野菜などの植物は、動物とは異なり、動くことのできない生き物であるため、様々な環境の変化に順応する性質がある。そのため、上記のように照射時間と非照射時間を常に同じタイミングで行っていると、野菜がそれに順応し、刺激に対しての反応の低下が起こることとなる。そのため、本実施形態では同じ運転率においても、照射時間と非照射時間を変更するように制御部５０が制御する。この制御方法について図９に基づいて説明する。
【００６３】
実施形態５のステップＳ８において運転率が５０％とした場合、次の制御を行う。
【００６４】
ステップＳ１１において、制御部５０は、超音波発振部４２の運転率が５０％に設定しステップＳ１２に進む。
【００６５】
ステップＳ１２において、制御部５０は、カウント係数ｎが０であるか否かを判定し、０であればステップＳ１３に進み、０でなければステップＳ１５に進む。
【００６６】
ステップＳ１３において、制御部５０は、運転率として照射時間（ＯＮ時間）を３０秒、非照射時間（ＯＦＦ時間）を３０秒とし、これを交互に繰り返すように設定し、間欠照射する。そしてステップＳ１４に進む。
【００６７】
ステップＳ１４において、制御部５０は、カウント係数ｎに１を増加させ終了する。
【００６８】
ステップＳ１５において、ｎが０でないので、制御部５０は、ｎが１か否かを判定し、１であればステップＳ１６に進み、１でなければステップＳ１８に進む。
【００６９】
ステップＳ１６において、制御部５０は、照射時間を２０秒、非照射時間を４０秒に設定して間欠照射し、ステップＳ１７に進む。
【００７０】
ステップＳ１７において、制御部５０は、ｎに１を増加し終了する。
【００７１】
ステップＳ１８においては、制御部５０は、照射時間を４０秒、非照射時間を２０秒と設定して間欠照射し、ステップＳ１９に進む。
【００７２】
ステップＳ１９では、制御部５０は、ｎを０にリセットする。
【００７３】
本実施形態によれば運転率５０％であっても、３種類の照射時間と非照射時間からなる間欠照射を行うことができるため、野菜１００，１００に対する刺激が常に変化し、刺激に対する反応が低下しない。
【００７４】
なお、本実施形態では、３パターンで間欠照射するようにしたが、３パターン以上であってもよいし、また、運転率７５％の間欠照射においても同様にパターンを代えることができる。
【実施形態７】
【００７５】
次に、実施形態７の冷蔵庫１０について、図１０に基づいて説明する。
【００７６】
本実施形態でも、実施形態６と同様に野菜１００，１００への刺激をより高める制御を行う。すなわち、超音波発振部４２が超音波を間欠照射で照射している場合において（すなわち、照射時間中において）、その照射状態をライトのフラッシング（点滅）のように短時間でＯＮ／ＯＦＦする。この制御方法について図１０のフローチャートに基づいて説明する。
【００７７】
ステップＳ２１において、制御部５０は、超音波発振部４２の運転率が５０％に設定する。なお、この運転率の決定方法は実施形態５と同様である。そしてステップＳ２２に進む。
【００７８】
ステップＳ２２において、制御部５０が、運転率５０％を達成するために、照射時間を３０秒、非照射時間を３０秒に設定する。そしてステップＳ２３に進む。
【００７９】
ステップＳ２３において、超音波発振部４２が超音波の間欠照射を照射時間を３０秒、非照射時間を３０秒で開始する。そしてステップＳ２４に進む。
【００８０】
ステップＳ２４において、超音波発振部４２が、超音波の照射時間において、超音波を照射周波数１０Ｈｚ、すなわち１周期を０．１秒でＯＮ／ＯＦＦしながら照射する。
【００８１】
本実施形態によれば、照射中においても、超音波がＯＮ／ＯＦＦを短時間で繰り返すため、野菜１００，１００への刺激が一定でなく、野菜１００，１００の刺激に対する低下を防止できる。なお、短時間でＯＮ／ＯＦＦするタイミングとしては、１Ｈｚ〜１ｋＨｚが好適である。
【実施形態８】
【００８２】
次に、実施形態８の冷蔵庫１０について説明する。
【００８３】
上記各実施形態では、野菜への刺激を高めるために照射時間と非照射時間のタイミングをずらせていたが、本実施形態では超音波発振部４２が発振する超音波を変調させる。なお、本実施形態であると、超音波を連続照射しても、また、間欠照射しても実施できる。
【００８４】
超音波の変調方式には、振幅変調方式、位相変調方式、周波数変調方式、パルス幅変調方式などがある。例えば、超音波発振部４２が、音圧１００ｄＢを基準として、８０〜１２０ｄＢの間を振幅変調させたり、周波数変調であれば中心周波数４０ｋＨｚを基準に３０〜５０ｋＨｚを変調して照射を行う。
【００８５】
本実施形態であると、超音波を連続照射しても、また、間欠照射における照射時間中において、野菜１００，１００への刺激を向上させることができる。
【変更例】
【００８６】
上記実施形態では野菜室１６に上下２段の収納容器を設けたが、これに限らず１個の収納容器１６を配置してもよい。
【００８７】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８８】
１０・・・冷蔵庫、１６・・・野菜室、３６・・・上収納容器、３８・・・下収納容器、４２・・・超音波発振部、５０・・・制御部、
【図１】
2013170760.tif 000003
【図２】
2013170760.tif 000004
【図３】
2013170760.tif 000005
【図４】
2013170760.tif 000006
【図５】
2013170760.tif 000007
【図６】
2013170760.tif 000008
【図７】
2013170760.tif 000009
【図８】
2013170760.tif 000010
【図９】
2013170760.tif 000011
【図１０】
2013170760.tif 000012